(57)【要約】【課題】結婚式の各シーンで流される曲を具体的にイメージしながら選定することができるようにした結婚シミュレータの提供する。【解決手段】音楽データベース１に結婚式で使われる曲データが格納される。結婚式の各シーン毎の推薦曲が推薦曲リスト３に列挙される。画像データベース１０に、結婚式の各シーン再生での動画像が格納される。所望のシーンが選択されると、選択されたシーンに対応する画像データが表示されると共に、選択されたシーンに対応する推薦曲のリストが表示される。試聴する曲データが選択されると、選択された曲データが再生されると共に選択されたシーンの画像が再生される。これにより、結婚式を疑似体験しながら、各シーンで流される曲を適宜選択していくことができる。【選択図】        図１
2005004262.tif 000002
【特許請求の範囲】
【請求項１】
結婚式のシーンを選択するシーン選択手段と、
複数の曲データが蓄積されている音楽データベースと、
前記音楽データベースに蓄積されている曲データの中で各シーンの推薦曲のリストが表示される推薦曲リスト表示手段と、
前記音楽データベースに蓄積されている曲データの全リストが表示される全曲リスト表示手段と、
結婚式の各シーンの画像データが蓄積されている画像データベースと、
前記画像データベースに蓄積された画像データを前記結婚式のシーンに対応して表示させる画像表示手段と、
前記推薦曲リスト表示手段および前記全曲リスト表示手段に表示された曲データのリストの中から試聴する所望の曲データを選択する試聴選択手段とを備え、
前記シーン選択手段で所望のシーンが選択されると、前記選択されたシーンに対応する画像データが表示されると共に、前記選択されたシーンに対応する推薦曲のリストが表示され、
前記試聴選択手段で曲データが選択されると、前記選択された曲データが再生されると共に前記選択されたシーンの画像が再生される
ことを特徴とする結婚式シミュレータ。
【請求項２】
さらに、前記各シーンで選択された曲データの情報を格納する記憶手段を設けるようにしたことを特徴とする請求項１に記載の結婚シミュレータ。
【請求項３】
前記記憶手段に格納された前記各シーンで選択された曲データの情報に基づいて、前記結婚式の各シーン毎の曲一覧表をプリントアウトすることを特徴とする請求項２に記載の結婚シミュレータ。
【請求項４】
前記記憶手段に格納された前記各シーンで選択された曲データの情報に基づいて、結婚式で使われる曲データが格納された記録媒体を作成することを特徴とする請求項２に記載の結婚シミュレータ。
【発明の詳細な説明】
【０００１】
【発明の属する技術分野】
本発明は、特に結婚式で流される音楽の選定に利用して好適な結婚式シミュレータに関する。
【０００２】
【従来の技術】
結婚式をあげる誰もが、この結婚式が二人にとって人生で最も美しい式典になることを強く望んでいる。結婚式を行う二人のこのような願いを満足させるために、バラエティに富んだ各種の結婚式が行われるようになってきている。ホテルや結婚式場での結婚式ばかりでなく、最近では、町のレストランを借り切っての結婚式や、クルーザでの船上の結婚式など、多種多彩な結婚式が行われるようになってきている。
【０００３】
しかしながら、結婚式の多種多様化に伴って、予定していた結婚式と実際に行われた結婚式との間に相違があり、結婚する二人を失望させたという例もめずらしくない。多くの人にとって、結婚式は一生に一回の催しであり、結婚式を行うことは誰もが初めての経験である。したがって、結婚式の企画や運営を行うビジネスにとって、どのような結婚式になるのかを結婚する二人に分かりやすく説明していくことが重要である。
【０００４】
ところが、従来では、どのような結婚式になるかを結婚する二人に説明する場合、たとえば結婚カウンセラが結婚式の予定を記載した案内書やメモを結婚する二人に渡し、その案内書やメモに沿って計画を説明するのに止まっている。このような案内書やメモによる説明だけでは、実際の結婚式のイメージを十分に理解させることは難しい。また、各シーンで具体的に行われることは、結婚式の会場毎に異なっており、各会場毎に結婚式のイメージを十分い理解させることは難しい。
【０００５】
特に、結婚式の背景で流される音楽の選択は重要である。結婚式の雰囲気は、そこに流れる音楽で変わってくる。結婚式で流される音楽は、慣習上、ある程度決まっているものがある。また、ヒット曲の中でも、結婚をテーマにしたものや、二人の幸せをテーマにしたものの中には、結婚式の定番となっているものがある。また、結婚する二人の出会いや思い出を象徴する音楽を結婚式に流したいという要望がある。
【０００６】
従来、結婚式で使われる曲の選択は、結婚カウンセラが各シーンに応じてそのシーンに相応しい音楽を推薦したり、また、結婚する二人が自分たちの思い出の曲を紹介したりしながら行われている。このとき、従来では、実際にその音楽を聞きながら決めることは殆ど行われていない。
【０００７】
【発明が解決しようとする課題】
このように、従来では、どのような結婚式になるかを結婚する二人に説明する場合、たとえば結婚カウンセラが結婚式の予定を記載した案内書やメモを結婚する二人に渡し、その案内書やメモに沿って計画を説明するのに止まっている。このため、具体的な結婚式のイメージを掴みにくいという問題がある。特に、結婚式の各シーンで使われる音楽は、メモや口頭による説明だけでは、十分に行えない。
【０００８】
また、実際に結婚式を行う場合には、結婚式の各シーンで流される音楽が決まると、この音楽が収納されているＣＤ（Ｃｏｍｐａｃｔ  Ｄｉｓｃ）等を集め、各シーンで流される音楽を用意している。そして、結婚式の当日は、各シーンで使われる音楽のメモを見ながら、その音楽を再生するようにしている。
【０００９】
しかしながら、あらかじめ結婚式の各シーンで流される音楽を用意する作業は大変である。また、結婚式の当日に、各シーンで使われる音楽のメモを見ながら、その音楽を再生するという作業は大変であると共に、手違いが多い。
【００１０】
本発明は、このような事情に鑑みてなされたもので、結婚式の各シーンで流される音楽を具体的にイメージしながら選定することができるようにした結婚シミュレータの提供を目的とする。
【００１１】
本発明の他の目的は、結婚式での音楽の準備を簡略化できるようにした結婚シミュレータの提供を目的とする。
【００１２】
【課題を解決するための手段】
かかる課題を解決するために、第１の本発明に係る結婚シミュレータは、結婚式のシーンを選択するシーン選択手段と、複数の曲データが蓄積されている音楽データベースと、音楽データベースに蓄積されている曲データの中で各シーンの推薦曲のリストが表示される推薦曲リスト表示手段と、音楽データベースに蓄積されている曲データの全リストが表示される全曲リスト表示手段と、結婚式の各シーンの画像データが蓄積されている画像データベースと、画像データベースに蓄積された画像データを結婚式のシーンに対応して表示させる画像表示手段と、推薦曲リスト表示手段および全曲リスト表示手段に表示された曲データのリストの中から試聴する所望の曲データを選択する試聴選択手段とを備え、シーン選択手段で所望のシーンが選択されると、選択されたシーンに対応する画像データが表示されると共に、選択されたシーンに対応する推薦曲のリストが表示され、試聴選択手段で曲データが選択されると、選択された曲データが再生されると共に選択されたシーンの画像が再生されることを特徴とする。
【００１３】
第１の本発明に係る結婚シミュレータによれば、結婚式の各シーンの画像を見ると同時に、各シーンで流される曲を試聴しながら、各シーンの曲を決めていくことができる。各シーンの動画像と曲が再生されるので、各シーンの様子を具体的にイメージできる。また、各シーンの推薦曲がリストに表示されるので、各シーン毎に、適切な曲が選択できる。また、全曲のリストが表示されるので、二人の思い出の曲等を選択することができる。
【００１４】
第２の本発明に係る結婚シミュレータでは、さらに、各シーンで選択された曲データの情報を格納する記憶手段を設けるようにしている。これにより、記憶手段に格納された各シーンで選択された曲データの情報に基づいて、結婚式の各シーン毎の曲の一覧表をプリントアウトすることができる。また、記憶手段に格納された各シーンで選択された曲データの情報に基づいて、結婚式で使われる曲データが格納されたＣＤ（Ｃｏｍｐａｃｔ  Ｄｉｓｃ）やＭＤ（Ｍｉｎｉ  Ｄｉｓｃ）、ＤＶＤ（Ｄｉｇｉｔａｌ  Ｖｅｒｓａｔｉｌｅ  Ｄｉｓｃ）等の記録媒体を作成することができる。
【００１５】
【発明の実施の形態】
以下、本発明の実施の形態について図面を参照しながら説明する。
第１の実施形態
本発明の結婚式シミュレータは、パーソナルコンピュータ上にソフトウェアで構成される。図１は、本実施の形態の結婚式シミュレータの機能に基づいて構成されたブロック図である。
【００１６】
図１において、音楽データベース１には、複数の曲データが格納されている。音楽データベース１に格納されている曲データとしては、結婚式で必ず使われる曲の曲データや結婚式で定番として使われる曲の曲データの他、多数の曲データが格納されている。音楽データベース１の曲データの形態としては、ＰＣＭ（Ｐｕｌｓｅ  Ｃｏｄｅ  Ｍｏｄｕｌａｔｉｏｎ）オーディオデータでも良いし、圧縮されたオーディオデータでも良い。音楽データベース１に格納される曲データは、たとえば、ＣＤ等の記録媒体から得られると共に、インターネット上の音楽サイトからダウンロードして得ることもできる。
【００１７】
なお、音楽データベース１に保存される曲データは、試聴用に時間を短縮した曲データとしても良い。また、サビの部分から再生が開始されるように、サブの部分からの曲データを音楽データベースに格納するようにしても良い。また、全曲分の曲データと、試聴用に時間の短縮された曲データと、サビの部分から再生が開始される曲データとを格納するようにしても良い。
【００１８】
音楽リスト２には、音楽データベース１に格納されている曲データのリストが作成されている。音楽リスト２は、推薦曲リスト３と全曲リスト４とがある。
【００１９】
推薦曲リスト３には、各シーン毎に、そのシーンに相応した複数の曲が推薦曲として列挙されている。推薦曲リスト３には、図２に示すように、「迎賓」、「和装入場」、「プロフィール紹介」、「ケーキ入刀」、…等のシーン毎に、推薦曲のタイトルと、アーチスト名と、曲データのファイル名が列挙されている。推薦曲リスト３の情報は、入力操作部１５の操作により設定されるシーンに応じて表示される。すなわち、入力操作部１５の操作によりシーンが指定されると、そのシーンに対応する曲のリストが推薦曲リスト３から読み出され、このシーンに対応する推薦曲のリストが表示部１４に表示される。
【００２０】
全曲リスト４には、音楽データベース１に格納されている全曲の曲データがタイトルあるいはアーチスト毎に列挙されている。全曲リスト４には、図３に示すように、たとえば、全曲のアーチスト名と、タイトルと、その曲の曲データのファイル名が列挙されている。音楽リスト２の推薦曲リスト３と全曲リスト４の情報は、表示部１４に表示される。
【００２１】
画像データベース１０には、図４に示すように、「迎賓」、「和装入場」、「プロフィール紹介」、「ケーキ入刀」、…等のシーンで使われる画像データ格納されている。画像データベース１０に格納する画像データの形態としては、たとえば、ＭＰＥＧ（Ｍｏｖｉｎｇ  Ｐｉｃｔｕｒｅ  Ｃｏｄｉｎｇ  Ｅｘｐｅｒｔｓ  Ｇｒｏｕｐ）等で圧縮された動画データが用いられる。なお、圧縮方式は、どのような方式を用いても良い。
【００２２】
入力操作部１５の操作によりシーンが指定されると、再生画像選択部１２からシーンに対応する画像データの読み出し命令が出力され、画像データベース１０から、所望のシーンの画像データが読み出される。読み出された画像データは、画像再生部１３に送られ、画像再生部１３で再生される。そして、この再生された画像は、表示部１４に表示される。
【００２３】
入力操作部１５の操作により、推薦曲リスト３および全曲リスト４に列挙されている曲の中から所望の曲が試聴曲として指定されると、指定された曲の曲データの読み出し命令が再生音楽選択部５から出力され、音楽データベース１から、所望の曲の曲データが読み出される。読み出された曲データは、音楽再生部６に送られ、音楽再生部６で再生され、音声出力部７から出力される。
【００２４】
次に、本実施の形態の結婚シミュレータの動作について説明する。結婚式シミュレータが起動されると、図５に示すように、結婚式の各シーンで流す曲を選択するための曲選択画面１００が表示される。図５に示すように、曲選択画面１００は、シーン表示選択エリア１０１と、動画表示エリア１０２と、推薦曲表示選択エリア１０３と、全曲リスト表示選択エリア１０４とから構成される。
【００２５】
シーン表示選択エリア１０１には、「迎賓」、「和装入場」、「プロフィール紹介」、「ケーキ入刀」、…等、結婚式の各シーンを選択するためのシーン選択ボタン１０５ａ、１０５ｂ、１０５ｃ、１０５ｄ、…が配列されている。
【００２６】
結婚式の各シーンは、シーン表示選択エリア１０１のシーン選択ボタン１０５ａ、１０５ｂ、１０５ｃ、１０５ｄ、…の中から所望のシーンの選択ボタンをクリックすることで選択できる。シーン表示選択エリア１０１により、所望のシーンを選択すると、そのシーンに対応する画像が動画表示エリア１０２に表示されると共に、そのシーンに対応する複数の推薦曲の情報が推薦曲表示選択エリア１０３に表示される。
【００２７】
すなわち、画像データベース１０には、図４に示したように、「迎賓」、「和装入場」、「プロフィール紹介」、「ケーキ入刀」、…等のシーンで使われる画像データ格納されている。シーン表示選択エリア１０１の中で、所望のシーンを選択すると、画像データベース１０から、そのシーンに対応する画像データが読み出され、この画像が動画表示エリア１０２に表示される。
【００２８】
たとえば、シーン選択ボタン１０５ｂをクリックし、「和装入場」のシーンを選択すると、図５に示しすように、結婚する二人が和装で入場するシーンの画像が画像データベース１０から読み出され、動画表示エリア１０２に表示される。
【００２９】
また、音楽リスト２の推薦曲リスト３には、図２に示したように、各シーンで流す曲として推薦できる複数の推薦曲がシーン毎に格納されている。シーン選択ボタン１０５ｂをクリックし、「和装入場」のシーンを選択すると、推薦曲表示選択エリア１０３には、「和装入場」のシーンに対応する推薦曲の情報が「おすすめ曲」として表示される。
【００３０】
次に、シーン選択ボタン１０５ｄをクリックし、「ケーキ入刀」のシーンを選択すると、図６に示すように、動画表示エリア１０２に表示される画像がケーキを入刀するシーンに切り替わり、また、推薦曲表示選択エリア１０３の曲が「ケーキ入刀」のシーンでの「おすすめ曲」に切り替わる。
【００３１】
なお、シーン表示選択エリア１０１によりシーンを選択したときに、動画表示エリア１０２に表示される画像の再生を開始させるようにしても良い。また、シーン表示選択エリア１０１によりシーンを選択したときには、たとえば、動画像の最初の画面でフリーズさせておくようにしても良い。
【００３２】
推薦曲表示選択エリア１０３の各推薦曲には、試聴ボタン１０６ａ、１０６ｂ、１０６ｃ、…が設けられている。所望の曲の試聴ボタン１０６ａ、１０６ｂ、１０６ｃ、…をクリックすると、図７に示すように、全曲再生用のツールパネル１２１と、サビの部分再生用のツールパネル１２２が現れる。全曲再生用のツールパネル１２１を操作すると、曲の先頭から再生が開始される。サビの部分再生用のツールパネル１２２を操作すると、サビの部分から再生が開始される。この曲の再生と同時に、動画表示エリア１０２に表示されているそのシーンの動画の再生が開始される。
【００３３】
このように、本実施の形態の結婚式シミュレータでは、各シーン毎に、そのシーンに対応する推薦曲の中から、曲を選択することができる。そして、選択された曲を試聴すると、視聴を選択した曲の再生が開始されると同時に、そのシーンの動画像の再生が開始される。これにより、結婚式を疑似体験しながら、各シーンで流される曲を適宜選択していくことができる。
【００３４】
そのシーンで流れる曲が推薦曲表示選択エリア１０３の推薦曲にない場合には、全曲リスト表示選択エリア１０４から、曲を選択することができる。すなわち、図３に示したように、全曲リスト４には、たとえば、全曲のアーチスト名と、タイトルと、その曲データのファイル名が列挙されている。この全曲リスト４の情報が推薦曲表示選択エリア１０３に表示される。この推薦曲表示選択エリア１０３の中から、所望の曲を選択すると、その曲を試聴することができる。
【００３５】
なお、全曲リスト表示選択エリア１０４での試聴の再生手順は、推薦曲表示選択エリア１０３の場合と同様である。すなわち、全曲リスト表示選択エリア１０４から所望の曲を選択すると、図７に示すように、全曲再生用のツールパネル１２１と、サビの部分再生用のツールパネル１２２が現れる。全曲再生用のツールパネル１２１を操作すると、曲の先頭から再生が開始される。サビの部分再生用のツールパネル１２２を操作すると、サビの部分から再生が開始される。
【００３６】
また、全曲リスト表示選択エリア１０４は、洋楽、邦楽、話題曲に分けて表示するようにすると、検索が容易になる。さらに、アーチスト名毎に、あるいは、曲名毎にソートしておくと、検索が容易になる。さらに、アーチスト名や曲名、ジャンル、ヒットした時代等から、所望の曲をサーチする機能を設けるようにしても良い。
【００３７】
図８は、本実施の形態の結婚シミュレータの動作を示すフローチャートである。図８において、シーン表示選択エリア１０１により、シーンが選択されたかどうかが判断される（ステップＳ１）。シーンが選択されたら、そのシーンの画像が画像データベース１０から読み出され、動画表示エリア１０２に表示されると共に（ステップＳ２）、そのシーンの推薦曲が推薦曲表示選択エリア１０３に表示される（ステップＳ３）。
【００３８】
推薦曲表示選択エリア１０３の曲が試聴曲として選択されたかどうかが判断される（ステップＳ４）。推薦曲表示選択エリア１０３の曲が試聴曲として選択された場合には、指定された曲の曲データが音楽データベース１から読み出され、この曲データの再生が開始されると共に（ステップＳ５）、動画表示エリア１０２の動画像の再生が開始される（ステップＳ６）。
【００３９】
推薦曲表示選択エリア１０３の曲が試聴曲として選択されていな場合には、全曲リスト表示選択エリア１０４から所望の曲が選択されたかどうかが判断される（ステップＳ７）。全曲リスト表示選択エリア１０４から曲が選択された場合には、指定された曲の曲データが音楽データベース１から読み出され、この曲データの再生が開始されると共に（ステップＳ５）、動画表示エリア１０２の動画像の再生が開始される（ステップＳ６）。
【００４０】
次に、シーン表示選択エリア１０１により、新たにシーンが選択されたかどうかが判断される（ステップＳ８）。ステップＳ８で、新たなシーンが選択されていない場合には、ステップＳ４にリターンされる。
【００４１】
ステップＳ８で、新たなシーンが選択された場合には、ステップＳ２にリターンされ、新たに選択されたシーンで処理が行われる。
【００４２】
なお、動画表示エリア１０２に表示される各シーン毎の動画像は、式場毎に用意するようにしても良い。各式場毎に各シーン毎の動画像が用意されていると、結婚式を挙げようとしている二人にとっては、より現実感をもって、結婚式が疑似体験できる。また、結婚式のカウンセラは、各式場毎に、その特徴を説明することができ、また、各式場毎に細かい説明ができる。
【００４３】
第２の実施の形態
図９は、本発明の第２の実施の形態を示すものである。この実施の形態では、図９に示すように、各シーン毎に選択された曲を記憶する記憶手段としてのメモリ３１が設けられる。このようにして、各シーン毎の曲を選択すると、この曲の選択情報がメモリ３１に記憶される。
【００４４】
このメモリ３１に記憶された各シーン毎の曲の選択情報は、結婚式で流す曲の一覧表として、プリントアウトすることができる。このプリントアウトされた曲の一覧表を使って、結婚式上で実際に曲を再生する際に、スムーズな運営が行える。また、このプリントアウトされた曲の一覧表を列席者に配布して、楽しんでもらうことができる。
【００４５】
さらに、このメモリ３１に記憶された各シーン毎の曲の選択情報を基に、結婚式で流す曲の入ったＣＤやＭＤ、ＤＶＤ等を作成することができる。このようにして作成されたＣＤやＭＤ、ＤＶＤを結婚式場に持ち込むようにすれば、結婚式場のライブラリ等を探さなくても、結婚式で演奏される曲の準備を整えることができる。
【００４６】
結婚式で流す曲の曲の一覧表をプリントアウトするために、プリンタ３２が設けられる。結婚式で流す曲の入ったＣＤやＭＤ、ＤＶＤ等を作成するために、ＤＶＤレコーダ３３、ＣＤレコーダ３４が設けられる。また、ＤＶＤレコーダ３３やＣＤレコーダ３４による記録を制御するために、記録制御部３５が設けられる。他の構成は、図１に示した第１の実施の形態と同様であり、対応箇所には同一符号を付加し、その説明を省略する。
【００４７】
図１０は、本発明の第２の実施の形態の動作を示すフローチャートである。図１０において、シーン表示選択エリア１０１により、シーンが選択されたかどうかが判断される（ステップＳ５１）。シーンが選択されたら、そのシーンの画像が画像データベース１０から読み出され、動画表示エリア１０２に表示されると共に（ステップＳ５２）、そのシーンに対応する推薦曲が推薦曲表示選択エリア１０３にも表示される（ステップＳ５３）。
【００４８】
推薦曲表示選択エリア１０３の曲が試聴曲として選択されたかどうかが判断される（ステップＳ５４）。推薦曲表示選択エリア１０３の曲が試聴曲として選択された場合には、指定された曲の曲データが音楽データベース１から読み出され、この曲データの再生が開始されると共に（ステップＳ５５）、動画表示エリア１０２の動画像の再生が開始される（ステップＳ５６）。
【００４９】
推薦曲表示選択エリア１０３の曲が試聴曲として選択されていない場合には、全曲リスト表示選択エリア１０４から所望の曲が選択されたかどうかが判断される（ステップＳ５７）。全曲リスト表示選択エリア１０４から曲が選択された場合には、指定された曲の曲データが音楽データベース１から読み出され、この曲データの再生が開始されると共に（ステップＳ５５）、動画表示エリア１０２の動画像の再生が開始される（ステップＳ５６）。
【００５０】
次に、シーン表示選択エリア１０１により、新たなシーンが選択されたかどうかが判断される（ステップＳ５８）。ステップＳ５８で、新たなシーンが選択されていない場合には、ステップＳ５４にリターンされる。
【００５１】
ステップＳ５８で、新たなシーンが選択された場合には、そのシーンに対応する曲を選択するかどうかが判断される（ステップＳ５９）。なお、各シーンに対応する曲は、複数選択できるようにしても良い。曲の選択は、たとえば、オンラインショッピングで買い物を買い物かごに入れるような要領で選択することが考えられる。そのシーンに対応する曲を選択しない場合には、ステップＳ５２にリターンされ、新たに選択されたシーンで処理が行われる。
【００５２】
ステップＳ５９で、そのシーンでの曲が選択された場合には、そのシーンで選択された曲の選択情報が各シーンに対応してメモリ３１に保存される（ステップＳ６０）。
【００５３】
図１０のような処理を行うことにより、各シーンで選択された曲の選択情報がメモリ３１に蓄積される。このメモリ３１の情報を使って、結婚式で流す今日の一覧表をプリントアウトしたり、結婚式で流す曲の入ったＣＤやＭＤ、ＤＶＤ等を作成することができる。
【００５４】
図１１は、そのときの処理を示すフローチャートである。図１１において、ＤＶＤを作成するかどうかが判断される（ステップＳ８１）。ＤＶＤを作成する場合には、メモリ３１に記憶された各シーン毎の曲の選択情報に基づいて、各シーンで選択された画像の動画データが画像データベース１０から読み出され（ステップＳ８２）、各シーンで選択された曲が音楽データベース１から読み出される（ステップＳ８３）。この画像データベース１０から読み出された動画データおよび音楽データベース１から読み出された曲データがＤＶＤのディスクに記録される（ステップＳ８４）。
【００５５】
ＤＶＤを作成しない場合には、ＣＤを作成するかどうかが判断される（ステップＳ８５）。ＣＤを作成する場合には、メモリ３１に記憶された各シーン毎の曲の選択情報に基づいて、各シーンで選択された曲データが音楽データベース１から読み出される（ステップＳ８６）。この音楽データベース１から読み出された曲データがＣＤのディスクに記録される（ステップＳ８７）。
【００５６】
ＣＤを作成しない場合には、各シーンで選択された曲のデータをプリントアウトするかどうかが判断される（ステップＳ８８）。各シーンで選択された曲のデータをプリントアウトすると判断された場合には、メモリ３１に記憶された各シーン毎の曲の選択情報に基づいて、結婚式の各シーンで流される曲名やアーチスト名のリストがプリントアウトされる（ステップＳ８９）。
【００５７】
また、上述のように、各シーンで選択した曲の情報を各シーン毎にメモリ３１に記憶させておくと、一連の結婚式のシーンの動画像を順に再生させると共に、各シーンで選択された曲を順番に再生させて、一連の結婚式の全体のシーンとそこで流れる曲を確認することができる。
【００５８】
本発明は、上述した実施形態に限定されるものではなく、本発明の要旨を逸脱しない範囲内で様々な変形や応用が可能である。
【００５９】
【発明の効果】
本発明に係る結婚シミュレータによれば、結婚式の各シーンの画像を見ると同時に、各シーンで流される曲を試聴しながら、各シーンの曲を決めていくことができる。各シーンの動画像と曲が再生されるので、各シーンの様子を具体的にイメージできる。また、各シーンの推薦曲がリストに表示されるので、各シーン毎に、適切な曲が選択できる。また、全曲のリストが表示されるので、二人の思い出の曲等を選択することができる。
【００６０】
また、本発明に係る結婚シミュレータでは、さらに、各シーンで選択された曲データの情報を格納する記憶手段を設けるようにしている。これにより、記憶手段に格納された各シーンで選択された曲データの情報に基づいて、結婚式の各シーン毎の曲の一覧表をプリントアウトすることができる。また、記憶手段に格納された各シーンで選択された曲データの情報に基づいて、結婚式で使われる曲データが格納されたＣＤやＭＤ、ＤＶＤ等の記録媒体を作成することができる。
【図面の簡単な説明】
【図１】本発明の第１の実施の形態の機能ブロック図である。
【図２】推薦曲リストの説明に用いる図である。
【図３】全曲リストの説明に用いる図である。
【図４】画像データベースの説明に用いる図である。
【図５】本発明の第１の実施の形態の表示画面の説明に用いる図である。
【図６】本発明の第１の実施の形態の表示画面の説明に用いる図である。
【図７】全曲再生とサビ再生の説明に用いる図である。
【図８】本発明の第１の実施の形態の動作説明に用いるフローチャートである。
【図９】本発明の第２の実施の形態の機能ブロック図である。
【図１０】本発明の第２の実施の形態の動作説明に用いるフローチャートである。
【図１１】本発明の第２の実施の形態の動作説明に用いるフローチャートである。
【符号の説明】
１…音楽データベース、２…音楽リスト、３…推薦曲リスト、４…全曲リスト、５…再生音楽選択部、６…音楽再生部、７…音声出力部、１０…画像データベース、１２…再生画像選択部、１３…画像再生部、１４…表示部、１５…入力操作部、３１…メモリ、３２…プリンタ、３３…ＤＶＤレコーダ、３４…ＣＤレコーダ、３５…記録制御部、１００…曲選択画面、１０１…シーン表示選択エリア、１０２…動画表示エリア、１０３…推薦曲表示選択エリア、１０４…全曲リスト表示選択エリア、１０５ａ、１０５ｂ、１０５ｃ…シーン選択ボタン、１０６ａ、１０６ｂ、０１６ｃ…試聴ボタン
【図１】
2005004262.tif 000003
【図２】
2005004262.tif 000004
【図３】
2005004262.tif 000005
【図４】
2005004262.tif 000006
【図５】
2005004262.tif 000007
【図６】
2005004262.tif 000008
【図７】
2005004262.tif 000009
【図８】
2005004262.tif 000010
【図９】
2005004262.tif 000011
【図１０】
2005004262.tif 000012
【図１１】
2005004262.tif 000013